(57)【特許請求の範囲】
【請求項１】
回転駆動された加熱部材に接触して従動回転し、現像剤像が転写された記録媒体を該加熱部材との間で狭持しながら搬送する加圧部材と、
前記加熱部材に対して前記加圧部材を接触、離隔させる接離手段と、
前記接離手段によって前記加圧部材が前記加熱部材から離隔されたときに、該加圧部材を回転駆動させる駆動手段と、
を備え、
前記駆動手段は、
前記加圧部材が前記加熱部材から離隔したときに、該加圧部材が接触する回転部材と、
前記加圧部材が前記加熱部材から離隔したときに、該加熱部材と共に回転する駆動ギアと噛合するように構成された伝達ギアと、
前記伝達ギアから前記回転部材へ回転駆動力を伝達する伝達機構と、
を有することを特徴とする定着装置。
【請求項２】
前記駆動手段は、
前記加圧部材が前記加熱部材に接触したときに、前記伝達ギアから前記回転部材へ伝達する回転駆動力を遮断することを特徴とする請求項１に記載の定着装置。
【請求項３】
記録媒体に転写する画像を現像剤像として形成する画像形成部と、
前記画像形成部によって形成された現像剤像を前記記録媒体に転写する転写部と、
前記転写部によって前記記録媒体に転写された現像剤像を該記録媒体に定着する請求項１又は請求項２に記載の定着装置と、
を有することを特徴とする画像形成装置。
【発明の詳細な説明】
【技術分野】
【０００１】
本発明は、定着装置及び画像形成装置に関する。
【背景技術】
【０００２】
加熱部材と加圧ロールとを有する定着装置において、加圧ロールが加熱部材に対して接触・離隔可能に構成された画像形成装置は、従来から知られている（例えば、特許文献１参照）。
【先行技術文献】
【特許文献】
【０００３】
【特許文献１】特開２００９−２１０７９２号公報
【発明の概要】
【発明が解決しようとする課題】
【０００４】
本発明は、加熱部材から離隔された加圧部材の局所的な温度上昇を抑制できる定着装置及び画像形成装置を得ることを目的とする。
【課題を解決するための手段】
【０００５】
上記の目的を達成するために、本発明に係る請求項１に記載の定着装置は、回転駆動された加熱部材に接触して従動回転し、現像剤像が転写された記録媒体を該加熱部材との間で狭持しながら搬送する加圧部材と、前記加熱部材に対して前記加圧部材を接触、離隔させる接離手段と、前記接離手段によって前記加圧部材が前記加熱部材から離隔されたときに、該加圧部材を回転駆動させる駆動手段と、を備え、前記駆動手段が、前記加圧部材が前記加熱部材から離隔したときに、該加圧部材が接触する回転部材と、前記加圧部材が前記加熱部材から離隔したときに、該加熱部材と共に回転する駆動ギアと噛合するように構成された伝達ギアと、前記伝達ギアから前記回転部材へ回転駆動力を伝達する伝達機構と、を有することを特徴としている。
【０００６】
また、請求項２に記載の定着装置は、請求項１に記載の定着装置において、前記駆動手段は、前記加圧部材が前記加熱部材に接触したときに、前記伝達ギアから前記回転部材へ伝達する回転駆動力を遮断することを特徴としている。
【０００８】
また、本発明に係る請求項３に記載の画像形成装置は、記録媒体に転写する画像を現像剤像として形成する画像形成部と、前記画像形成部によって形成された現像剤像を前記記録媒体に転写する転写部と、前記転写部によって前記記録媒体に転写された現像剤像を該記録媒体に定着する請求項１又は請求項２に記載の定着装置と、を有することを特徴としている。
【発明の効果】
【０００９】
請求項１に記載の発明によれば、加熱部材から離隔された加圧部材の局所的な温度上昇を抑制することができる。また、加熱部材から離隔された加圧部材を回転駆動させるための駆動源を別途設ける必要がない。
【００１０】
請求項２に記載の発明によれば、回転部材の無駄な回転を防ぐことができる。
【００１２】
請求項３に記載の発明によれば、加熱部材から離隔された加圧部材の局所的な温度上昇を抑制することができる。
【図面の簡単な説明】
【００１３】
【図１】本実施形態に係る画像形成装置の全体を示す概略構成図
【図２】本実施形態に係る画像形成装置の画像形成部を示す概略構成図
【図３】本実施形態に係る定着部（定着装置）を示す概略構成図
【図４】本実施形態に係る加圧ロール及び加熱ロールを示す概略斜視図
【図５】本実施形態に係る加圧ロールの接離手段を示す概略斜視図
【図６】（Ａ）接離手段により加圧ロールが離隔されたときの状態を示す説明図、（Ｂ）接離手段により加圧ロールが圧接されたときの状態を示す説明図
【図７】本実施形態に係る駆動手段を示す概略斜視図
【図８】本実施形態に係る駆動手段を示す概略斜視図
【図９】接離手段により加圧ロールが圧接されたときの駆動手段を示す概略構成図
【図１０】接離手段により加圧ロールが離隔されたときの駆動手段を示す概略構成図
【発明を実施するための形態】
【００１４】
以下、本発明に係る実施の形態について、図面に示す実施例を基に詳細に説明する。なお、説明の便宜上、矢印ＵＰを上方向、矢印ＲＩを右方向、矢印ＦＲを前方向とし、各図において、上記各矢印が示されている場合には、その矢印で示す方向に従って上下・左右・前後の表現をする。また、以下において、シート状部材である記録媒体の搬送方向上流側及び搬送方向下流側を、単に「上流側」、「下流側」という場合がある。
【００１５】
図１で示すように、本実施形態に係る画像形成装置１０は、記録媒体の一例としての記録用紙Ｐに現像剤像（以下「トナー画像」という）を二次転写して搬送する工程までとされる第１処理部１２と、第１処理部１２から搬送されて来た記録用紙Ｐにトナー画像を定着する工程以降の処理を行う第２処理部１４と、が一体的に（記録用紙Ｐを受け渡し可能に）左右横方向（水平方向）に連結されて構成されている。
【００１６】
第１処理部１２は、第１筐体１１内に組み込まれ、第２処理部１４は、第１筐体１１と着脱可能とされた第２筐体１３内に組み込まれている。そして、第１筐体１１に隣接する第２筐体１３上には、制御手段の一例としての制御部１６が組み込まれた第３筐体１５が配設されており、その第３筐体１５の横（下流側）の第２筐体１３上には、表示装置１８が配設されている。
【００１７】
第１処理部１２には、記録用紙Ｐを収容する給紙部２０と、記録用紙Ｐを搬送する搬送部１２０と、記録用紙Ｐにトナー画像を転写する転写部１００と、転写部１００に一次転写させるトナー画像を形成する画像形成部３０と、が備えられている。具体的に説明すると、まず、第１筐体１１内の下部には、記録用紙Ｐがそれぞれ収容される２個の給紙カセット２２が左右横方向に並んで設けられている。
【００１８】
この給紙カセット２２は、第１筐体１１内から前方側へ引出可能とされており、給紙カセット２２を第１筐体１１内から引き出すと、給紙カセット２２内に設けられたボトムプレート２４が下降し、その上に記録用紙Ｐを載せることで、記録用紙Ｐの補充ができるようになっている。なお、給紙カセット２２を第１筐体１１内に取り付けると、ボトムプレート２４は上昇する構成になっている。
【００１９】
各給紙カセット２２の上方には搬送部１２０が配設されており、その搬送部１２０の上方には転写部１００が配設され、その転写部１００の上方には画像形成部３０が配設されている。なお、画像形成部３０、転写部１００、搬送部１２０については後述する。また、第１筐体１１の第２筐体１３と対向する右壁面１１Ａには、記録用紙Ｐを上部から搬出し、下部から搬入させる開口部２６が形成されている。
【００２０】
第２処理部１４には、転写部１００によって記録用紙Ｐに二次転写されたトナー画像を、その記録用紙Ｐに定着するための定着装置の一例としての定着部５０と、定着部５０によってトナー画像が定着された記録用紙Ｐを冷却するための冷却部６０と、両面印刷時に、記録用紙Ｐを反転させて、再度第１処理部１２へ搬送するための反転部８０と、が備えられている。
【００２１】
すなわち、第１筐体１１の右壁面１１Ａと対向する第２筐体１３の左壁面１３Ｂには、記録用紙Ｐを上部から搬入し、下部から搬出させる開口部２８が、開口部２６と対向して形成されており、その上側の開口部２８を通って搬送されて来た記録用紙Ｐに対してトナー画像を定着可能なように定着部５０が配設されている。なお、定着部５０については、後で詳述する。
【００２２】
また、定着部５０の横（下流側）には冷却部６０が配設されている。この冷却部６０は、記録用紙Ｐの搬送経路１２２（後述）を挟んで上側に、記録用紙Ｐと接触して、その熱を吸収する吸収装置７０が設けられ、下側に、搬送される記録用紙Ｐを吸収装置７０に押し付ける押付装置６２が設けられて構成されている。
【００２３】
吸収装置７０は、駆動力を伝達する駆動ロール７２と複数個の張架ロール７３に巻き掛けられた無端状の吸収ベルト７４を有しており、その吸収ベルト７４の内側には、吸収ベルト７４と面状に接触して、吸収ベルト７４が吸収した熱を放熱させるヒートシンク７６を有している。そして、ヒートシンク７６から熱を奪い、その熱気を外部へ排出させる吸込ファン７８が、第２筐体１３の後壁部側（図示の奥側）に２個並んで設けられている。
【００２４】
また、押付装置６２は、搬送される記録用紙Ｐと接触して、吸収装置７０へ押し付ける無端状の押付ベルト６４を有しており、その押付ベルト６４は複数個の張架ロール６５に張架されて回転可能に支持されている。このような構成の冷却部６０により、定着部５０から搬送されて来た記録用紙Ｐが冷却されるようになっている。
【００２５】
また、冷却部６０の横（下流側）には、記録用紙Ｐのカールを矯正する（記録用紙Ｐを平坦にする）デカール処理部６６が配設されている。そして、そのデカール処理部６６の横（下流側）には、記録用紙Ｐに定着されたトナー画像の濃度欠陥、画像欠陥、画像位置欠陥等を光学的に検出するインラインセンサー部６８が配設されている。
【００２６】
なお、インラインセンサー部６８の横（下流側）には、片面に画像が形成された記録用紙Ｐを第２筐体１３の右壁面１３Ａに取り付けられた排出部（排出トレイ）９０に排出する排出ロール９２が設けられており、片面印刷時には、その排出ロール９２によって記録用紙Ｐが排出部９０上へ排出されるようになっている。
【００２７】
また、定着部５０、冷却部６０、デカール処理部６６、インラインセンサー部６８の下方には、反転部８０が配設されている。すなわち、記録用紙Ｐの両面に画像を形成する際には、インラインセンサー部６８から送出された記録用紙Ｐを反転部８０へ搬送する。詳細には、その記録用紙Ｐを、図示しない切替部材によって、反転部８０に設けられた反転経路８２へ導く。
【００２８】
反転経路８２は、第２処理部１４における搬送経路１２２（後述）から分岐する分岐パス８４と、分岐パス８４に沿って搬送される記録用紙Ｐを第１処理部１２側へ向けて搬送する用紙搬送パス８６と、用紙搬送パス８６に沿って搬送される記録用紙Ｐを逆方向へ向けて折り返し、スイッチバック搬送して表裏を反転させる反転パス８８と、を備えている。
【００２９】
この構成により、反転パス８８によってスイッチバック搬送された記録用紙Ｐは、下側の開口部２８及び開口部２６を通って第１処理部１２内へ向けて搬送され、更に搬送部１２０における搬送経路１２２へ送出されて、後述する二次転写ロール１１０とバックアップロール１１２との狭持部である転写ポイントＴへ再度送り込まれるようになっている。
【００３０】
なお、第１筐体１１の左壁面１１Ｂには、その左壁面１１Ｂに隣接して外付けされる大容量の給紙カセット（図示省略）から記録用紙Ｐを供給できるようにするための供給部９４が設けられている。また、制御部１６には、図示しないコンピューター等から送られてくる画像データに処理を施す画像信号処理部９６と、各部へ電力を供給する電源部９８と、が備えられている。
【００３１】
次に、画像形成部３０について説明する。本実施形態に係る画像形成装置１０には、第１特別色（Ｖ）、第２特別色（Ｗ）、イエロー（Ｙ）、マゼンタ（Ｍ）、シアン（Ｃ）、ブラック（Ｋ）の各トナーを収容するトナーカートリッジ３２Ｖ、３２Ｗ、３２Ｙ、３２Ｍ、３２Ｃ、３２Ｋが左右横方向（水平方向）に並んで交換可能に設けられており、フルカラー画像又は白黒画像を形成可能に構成されている。
【００３２】
なお、第１特別色及び第２特別色には、イエロー、マゼンタ、シアン、ブラック以外の特別色（透明を含む）から適宜選択される。また、以後の説明では、Ｖ、Ｗ、Ｙ、Ｍ、Ｃ、Ｋを区別する場合は、数字の後にＶ、Ｗ、Ｙ、Ｍ、Ｃ、Ｋの何れかの英字を付して説明し、Ｖ、Ｗ、Ｙ、Ｍ、Ｃ、Ｋを区別しない場合は、Ｖ、Ｗ、Ｙ、Ｍ、Ｃ、Ｋを省略する。
【００３３】
トナーカートリッジ３２の下側には、各色のトナーに対応する６つの画像形成ユニット３４が、各トナーカートリッジ３２と対応するように左右横方向（水平方向）に並んで設けられている。そして、各トナーカートリッジ３２と画像形成ユニット３４との間には、露光ユニット４０が設けられている。
【００３４】
画像形成ユニット３４毎に設けられた露光ユニット４０は、上記した画像信号処理部９６によって処理を施された画像データを受け取り、色材階調データに応じて各半導体レーザー（図示省略）を変調し、各半導体レーザーから露光光Ｌを色材階調データに応じて出射するように構成されている。詳細には、後述する感光体３６（図２参照）の表面に各色に対応した露光光Ｌを照射して、その感光体３６上に静電潜像を形成するようになっている。
【００３５】
図２で示すように、画像形成ユニット３４は、矢印Ａ（図示の時計回り）方向に回転駆動される感光体３６を備えている。感光体３６の周囲には、感光体３６を一様に帯電する帯電装置としてのコロナ放電方式（非接触帯電方式）のスコロトロン帯電器３８と、露光ユニット４０によって出射された露光光Ｌにより感光体３６上に形成された静電潜像を各色の現像剤（トナー）で現像する現像装置４２と、転写後の感光体３６の表面をクリーニングするクリーニング装置としてのクリーニングブレード４４と、転写後の感光体３６の表面に光を照射して除電を行う除電装置としてのイレーズランプ４６が設けられている。
【００３６】
なお、スコロトロン帯電器３８、現像装置４２、クリーニングブレード４４、イレーズランプ４６は、感光体３６の表面と対向して、感光体３６の回転方向上流側から下流側へ向けて、この順番で配置されている。
【００３７】
また、現像装置４２は、画像形成ユニット３４の横（図示の右側）に配置され、トナーを含んだ現像剤Ｇが充填された現像剤収容部材４８と、現像剤収容部材４８に充填されたトナーを感光体３６の表面に移動させる現像ロール４９と、を含んで構成されている。そして、現像剤収容部材４８は、トナーカートリッジ３２（図１参照）とトナー供給路（図示省略）を通して接続されており、トナーカートリッジ３２からトナーが供給されるようになっている。
【００３８】
次に、転写部１００について説明する。図１で示すように、各画像形成ユニット３４の下側には、転写部１００が設けられている。この転写部１００は、各感光体３６と接触する無端状の中間転写ベルト１０２と、中間転写ベルト１０２の内側に配置され、各感光体３６上に形成されたトナー画像を中間転写ベルト１０２に多重転写させる６つの一次転写部材としての一次転写ロール１０４と、を含んで構成されている。
【００３９】
更に、この中間転写ベルト１０２は、図示しないモーターで駆動される駆動ロール１０６と、中間転写ベルト１０２の張力を調整する張力付与ロール１０８と、後述する二次転写ロール１１０と対向配置されたバックアップロール１１２と、複数個の張架ロール１１４との間に、一定の張力で巻き掛けられており、駆動ロール１０６により、図１の矢印Ｂ（図示の反時計回り）方向に循環移動されるようになっている。
【００４０】
詳細には、各一次転写ロール１０４は、中間転写ベルト１０２を挟んでそれぞれの各画像形成ユニット３４の感光体３６と対向配置されている。また、一次転写ロール１０４は、給電ユニット（図示省略）によって、トナー極性とは逆極性の転写バイアス電圧が印加されるようになっている。この構成により、感光体３６上に形成されたトナー画像が中間転写ベルト１０２に転写されるようになっている。
【００４１】
一方、駆動ロール１０６の中間転写ベルト１０２を挟んだ反対側には、先端部が中間転写ベルト１０２と接触するクリーニングブレード１１６が設けられおり、このクリーニングブレード１１６は、循環移動する中間転写ベルト１０２上の残留トナーや紙粉等を除去するようになっている。
【００４２】
次に、第１処理部１２における搬送部１２０について説明する。給紙カセット２２の一端側（図示の右側）の上方には、給紙カセット２２から記録用紙Ｐを搬送経路１２２へ送出する送出ロール１１８が設けられており、上昇するボトムプレート２４に載せられた最上位の記録用紙Ｐに送出ロール１１８が接触するようになっている。
【００４３】
送出ロール１１８の下流側には、記録用紙Ｐの重送を防止する一対の分離ロール１２４が設けられており、分離ロール１２４の下流側には、記録用紙Ｐを下流側に搬送する一対の搬送ロール１２６が複数設けられている。
【００４４】
給紙部２０（給紙カセット２２）と転写部１００（中間転写ベルト１０２）との間に設けられる搬送部１２０の搬送経路１２２は、給紙カセット２２から送出された記録用紙Ｐを第１折返部１２２Ａで図示の左方向へ折り返し、更に第２折返部１２２Ｂで図示の右方向へ折り返して二次転写ロール１１０とバックアップロール１１２との挟持部である転写ポイントＴへ向けて送出するようになっている。
【００４５】
第２折返部１２２Ｂと転写ポイントＴとの間には、搬送される記録用紙Ｐの傾き等を矯正するアライナー（図示省略）が設けられており、このアライナーと転写ポイントＴとの間には、中間転写ベルト１０２上のトナー画像の移動タイミングと記録用紙Ｐの搬送タイミングを合わせるための位置合わせロール１２８が設けられている。
【００４６】
また、位置合わせロール１２８の下流側に設けられている二次転写部材としての二次転写ロール１１０は、給電ユニット（図示省略）によって、トナー極性とは逆極性の転写バイアス電圧が印加されるようになっている。この構成により、中間転写ベルト１０２上に多重転写された各色のトナー画像が、二次転写ロール１１０によって、搬送経路１２２に沿って搬送されて来た記録用紙Ｐに二次転写される構成となっている。なお、上記した供給部９４は、搬送経路１２２の第２折返部１２２Ｂへ合流するようになっている。
【００４７】
また、転写ポイントＴの下流側には、トナー画像が転写された記録用紙Ｐを第２処理部１４内へ向けて搬送する複数個のバキューム搬送装置１３０が設けられている。各バキューム搬送装置１３０は、回転駆動する駆動ロール１３２と、回転可能に支持された従動ロール１３４と、駆動ロール１３２と従動ロール１３４に巻き掛けられる複数本のベルト部材１３６と、を備えている。
【００４８】
ベルト部材１３６の表面には、複数個の貫通孔（図示省略）が全面に渡って設けられており、その貫通孔から空気をベルト部材１３６の内側へ吸い込む吸込ファン１３８が、第１筐体１１の後壁部側（図示の奥側）に配置されている。
【００４９】
この構成により、トナー画像が形成されていない記録用紙Ｐの裏面（非画像面）をベルト部材１３６に吸い付け、駆動ロール１３２を回転駆動させてベルト部材１３６を回転させることで、その記録用紙Ｐを更に下流側、即ち第２処理部１４のバキューム搬送装置１３０へ搬送するようになっている。
【００５０】
なお、第２処理部１４のバキューム搬送装置１３０も、第１処理部１２のバキューム搬送装置１３０と同様の構成であり、第２処理部１４における搬送経路１２２は、第１処理部１２の搬送部１２０における搬送経路１２２と連続している。
【００５１】
次に、画像形成工程（作用）について説明する。画像信号処理部９６で画像処理が施された画像データは、各色の色材階調データに変換され、各露光ユニット４０に順次出力される。各露光ユニット４０では、各色の色材階調データに応じて各露光光Ｌを出射し、スコロトロン帯電器３８によって帯電された各感光体３６上に走査露光を行い、静電潜像を形成する。
【００５２】
感光体３６上に形成された静電潜像は、現像装置４２によって、それぞれ第１特別色（Ｖ）、第２特別色（Ｗ）、イエロー（Ｙ）、マゼンタ（Ｍ）、シアン（Ｃ）、ブラック（Ｋ）の各色のトナー画像（現像剤像）として顕在化される（現像される）。
【００５３】
各画像形成ユニット３４Ｖ、３４Ｗ、３４Ｙ、３４Ｍ、３４Ｃ、３４Ｋの各感光体３６上に形成された各色のトナー画像は、６つの一次転写ロール１０４Ｖ、１０４Ｗ、１０４Ｙ、１０４Ｍ、１０４Ｃ、１０４Ｋによって中間転写ベルト１０２上に順次多重転写される。
【００５４】
中間転写ベルト１０２上に多重転写された各色のトナー画像は、二次転写ロール１１０によって、給紙部２０（給紙カセット２２）から搬送されて来た記録用紙Ｐ上に二次転写される。トナー画像が転写された記録用紙Ｐは、バキューム搬送装置１３０によって定着部５０へ搬送される。
【００５５】
定着部５０に搬送された記録用紙Ｐは、その定着部５０において加熱・加圧されることにより、その記録用紙Ｐ上に転写された各色のトナー画像が定着される。そして、各色のトナー画像が定着された記録用紙Ｐは、冷却部６０を通過して冷却された後、デカール処理部６６に送り込まれ、記録用紙Ｐに生じたカールが矯正される。カールが矯正された記録用紙Ｐは、インラインセンサー部６８によって画像欠陥等が検出された後、排出ロール９２によって排出部９０に排出される。
【００５６】
なお、記録用紙Ｐの画像が形成されていない裏面に画像を形成する場合（両面印刷の場合）には、その記録用紙Ｐは、インラインセンサー部６８を通過後に、反転部８０へ送出される。反転部８０へ送出された記録用紙Ｐは、反転経路８２を通過して反転され、再度第１処理部１２へ送り込まれて、上記した手順で、その裏面にトナー画像が形成される。
【００５７】
以上のような構成の画像形成装置１０において、次に定着部５０（定着装置）の構成について詳細に説明する。図３で示すように、この定着部５０は、定着ベルト５６を備えた加熱部材の一例としての定着ベルトモジュール５１と、定着ベルトモジュール５１に対して圧接（接触）・離隔可能に配置される加圧部材の一例としての加圧ロール５８と、を含んで構成されている。
【００５８】
そして、定着ベルト５６（定着ベルトモジュール５１）と加圧ロール５８とが圧接する領域がニップ部Ｎとされ、そのニップ部Ｎにおいて記録用紙Ｐが加圧及び加熱されることで、その記録用紙Ｐにトナー画像が定着されるようになっている。なお、図４〜図１０においては、定着ベルト５６を省略している。
【００５９】
図３で示すように、定着ベルトモジュール５１は、無端状の定着ベルト５６と、加圧ロール５８側で定着ベルト５６を張架しながら、駆動源の一例としての駆動モーター１５０（図４参照）からギア列１５２及びギア１５４を介して伝達される回転駆動力によって回転する加熱ロール５２と、加熱ロール５２と異なる位置（上方位置）で内側から定着ベルト５６を張架する支持ロール５４と、定着ベルト５６の外側に配置されて、その周回経路を規定する支持ロール５５と、定着ベルト５６の内側に配置されて、その姿勢を矯正する姿勢矯正ロール５３と、を備えている。
【００６０】
そして、定着ベルトモジュール５１と加圧ロール５８とが圧接する領域であるニップ部Ｎ内の下流側領域で、かつ定着ベルト５６の内側には、加熱ロール５２の近傍位置に配置されて、加熱ロール５２の外周面から定着ベルト５６を剥離する剥離パッド５７と、ニップ部Ｎの下流側において、定着ベルト５６を張架する支持ロール５９と、が設けられている。
【００６１】
ここで、この加熱ロール５２は、アルミニウムからなる円筒状の芯金の表面に、金属磨耗を防止する保護層が形成されたハードロールとされており、その保護層は、例えば厚さ２００μｍのフッ素樹脂皮膜とされている。なお、加熱ロール５２の内部には、熱源の一例としてのハロゲンヒーター１４２が設けられている。
【００６２】
また、支持ロール５４は、アルミニウムで形成された円筒状のロールであり、その内部には、熱源の一例としてのハロゲンヒーター１４４が配設されており、定着ベルト５６を内周面側から加熱するようになっている。なお、支持ロール５４の両端部には、巻き掛けられた定着ベルト５６を外側へ押圧するバネ部材（図示省略）が配設されている。
【００６３】
また、支持ロール５５は、アルミニウムで形成された円筒状のロールであり、支持ロール５５の表面には、例えば厚さ２０μｍのフッ素樹脂からなる離型層が形成されている。この離型層は、定着ベルト５６の外周面からの僅かなオフセットトナーや紙粉が支持ロール５５に堆積するのを防止するために形成されている。
【００６４】
また、この支持ロール５５の内部には、熱源の一例としてのハロゲンヒーター１４６が配設されており、定着ベルト５６を外周面側から加熱するようになっている。つまり、本実施形態に係る定着部５０では、加熱ロール５２、支持ロール５４、支持ロール５５によって、定着ベルト５６が加熱されるようになっている。
【００６５】
姿勢矯正ロール５３は、アルミニウムで形成された円柱状のロールであり、姿勢矯正ロール５３の近傍には、定着ベルト５６の端部位置を測定する端部位置測定機構（図示省略）が配置されている。そして、姿勢矯正ロール５３には、端部位置測定機構の測定結果に応じて定着ベルト５６の移動方向と直交する幅方向（軸方向）における接触位置を変位させる軸変位機構（図示省略）が配設され、定着ベルト５６の蛇行を制御するように構成されている。
【００６６】
また、剥離パッド５７は、加熱ロール５２の軸方向の長さと対応する長さを有するブロック状の部材であり、例えば鉄系の金属や樹脂等の剛体で形成されている。剥離パッド５７の断面形状は、加熱ロール５２に面する湾曲した内側面５７Ａと、定着ベルト５６を加圧ロール５８に向けて押圧する押圧面５７Ｂと、押圧面５７Ｂに対して予め決められた角度を有して定着ベルト５６を屈曲させる外側面５７Ｃと、を備えた略三日月形状とされている。
【００６７】
また、この剥離パッド５７の押圧面５７Ｂと外側面５７Ｃとで角部Ｕが構成されるようになっており、その角部Ｕは、加圧ロール５８によって押し付けられた定着ベルト５６を屈曲させるようになっている。このように、定着ベルト５６が屈曲されていると、記録用紙Ｐの先端が、角部Ｕを通過した際に、定着ベルト５６から剥離され易くなる。
【００６８】
一方、加圧ロール５８は、アルミニウムからなる円柱状のロール５８Ａを基体として、その基体（ロール５８Ａ）側から順に、シリコーンゴムからなる弾性層５８Ｂと、膜厚１００μｍのフッ素系樹脂からなる剥離層（以下「表面部」という）５８Ｃと、が積層されて構成されている。
【００６９】
また、加圧ロール５８は、回転自在に支持されるとともに、後述する接離手段１６０により、加熱ロール５２に巻回されている定着ベルト５６に対して圧接・離隔されるように構成されている。そして、この加圧ロール５８は、接離手段１６０によって定着ベルト５６に圧接されることにより、その定着ベルト５６の矢印Ｃ方向への循環移動に従動して矢印Ｅ方向へ回転するようになっている。
【００７０】
図４〜図６で示すように、加圧ロール５８の接離手段１６０は、その加圧ロール５８を、定着ベルトモジュール５１（定着ベルト５６）に対して圧接させる圧接位置（図６（Ｂ）参照）と、定着ベルトモジュール５１（定着ベルト５６）に対して離隔させる離隔位置（図６（Ａ）参照）と、に昇降移動させるようになっている。
【００７１】
すなわち、加圧ロール５８の回転軸１５８の軸方向両端部は、それぞれ支持プレート１４０の長手方向略中央部に形成された矩形状の切欠部１４０Ａに入り込んで下方から支持されており、各支持プレート１４０の下方には、支持プレート１４０を収容可能に上方側が開放された断面略「コ」字状の支持部材１４８がそれぞれ設けられている。
【００７２】
各支持プレート１４０の一端部側は、それぞれ支持部材１４８の一端部側に回転可能に支持されており、各支持部材１４８の一端部側は、図示しないフレーム等に回転可能に支持されている。また、各支持プレート１４０の他端部側と各支持部材１４８の他端部側との間には、圧縮コイルスプリング等の弾性部材１４７が設けられており、定着ベルトモジュール５１（定着ベルト５６）に対する加圧ロール５８の圧接荷重が設定されるようになっている。
【００７３】
また、各支持部材１４８の開放側（上方側）縁端部の長手方向略中央部には、各支持プレート１４０の切欠部１４０Ａに支持されている回転軸１５８の両端部の変位を許容する矩形状の切欠部１４８Ａが形成されている。そして、各支持部材１４８の切欠部１４８Ａよりも他端部側には、支持ロール１４９が回転自在にそれぞれ設けられている。
【００７４】
各支持ロール１４９の下方には、加圧ロール５８の回転軸１５８と同じ軸方向に設けられた回転軸１６２に固定されたカム板１６４がそれぞれ配置されており、各カム板１６４のカム面が各支持ロール１４９の周面に接触して、各支持ロール１４９を下方から支持するようになっている。そして、カム板１６４の回転軸１６２は、駆動モーター１６８からギア列１６６を介して伝達される回転駆動力によって、一方向（図６で示す矢印Ｄ方向）及び他方向（矢印Ｄ方向とは逆方向）へ回転するように構成されている。
【００７５】
したがって、駆動モーター１６８からギア列１６６を介して伝達された回転駆動力により、回転軸１６２が一方向（矢印Ｄ方向）に回転し、その回転軸１６２に固定されている各カム板１６４が回転しつつ各支持ロール１４９を押し上げると、図６（Ｂ）で示すように、各支持部材１４８及び各支持プレート１４０が上昇し、各切欠部１４０Ａに支持されている加圧ロール５８の回転軸１５８の両端部が押し上げられて、加圧ロール５８の表面部５８Ｃが定着ベルトモジュール５１（定着ベルト５６）に圧接される。
【００７６】
一方、駆動モーター１６８からギア列１６６を介して伝達された回転駆動力により、回転軸１６２が他方向（矢印Ｄ方向とは逆方向）に回転すると、各支持ロール１４９に対する各カム板１６４の押し上げが解除されるので、加圧ロール５８の回転軸１５８を支持しつつ各支持部材１４８及び各支持プレート１４０が自重によって下降し、図６（Ａ）で示すように、加圧ロール５８の表面部５８Ｃが定着ベルトモジュール５１（定着ベルト５６）から離隔される。
【００７７】
なお、この接離手段１６０における回転軸１６２の一方向及び他方向への回転動作は、制御部１６によって制御される。つまり、加圧ロール５８（表面部５８Ｃ）の定着ベルトモジュール５１（定着ベルト５６）に対する圧接・離隔動作は、制御部１６によって制御されるようになっている。
【００７８】
また、この加圧ロール５８は、定着ベルトモジュール５１（定着ベルト５６）から離隔した離隔位置において、回転（空転）するように構成されている。すなわち、図４、図７〜図１０で示すように、加圧ロール５８の軸方向における一方の外側（後方側）から下方側にかけて、定着ベルトモジュール５１（定着ベルト５６）から離隔した加圧ロール５８を回転させる駆動手段１７０が設けられている。
【００７９】
この駆動手段１７０は、接離手段１６０により、加圧ロール５８が定着ベルト５６から離隔したときには、その加圧ロール５８に対して、定着ベルト５６（加熱ロール５２）から回転駆動力を伝達し、加圧ロール５８が定着ベルト５６に圧接したときには、その加圧ロール５８に対して、定着ベルト５６（加熱ロール５２）からの回転駆動力を遮断するように構成されている。
【００８０】
具体的に説明すると、この駆動手段１７０は、下端部（一端部）が支点１７２Ａとされて回転可能に支持されたブラケット１７２を有しており、そのブラケット１７２の上端部（他端部）には、加熱ロール５２と共に回転する駆動ギア１５６と噛合される伝達ギア１７４が回転可能に支持されている。なお、この伝達ギア１７４が噛合する駆動ギア１５６は、加熱ロール５２の軸方向一端部側（後方側）にギア１５４と共に同心円状に取り付けられている（図４参照）。
【００８１】
また、図８で示すように、その伝達ギア１７４に噛合する中間ギア１７５と、その中間ギア１７５に噛合する中間ギア１７６が、それぞれブラケット１７２に回転可能に支持され、その中間ギア１７６に噛合する、軸方向に長いロールギア１７８が、ブラケット１７２の下端部に回転可能に支持されている。つまり、このブラケット１７２は、ロールギア１７８が回転可能に支持されている部位を支点１７２Ａとして回転可能となっている。
【００８２】
また、ロールギア１７８には、ブラケット１７２に固定されたブラケット１８０に回転可能に支持された大ギア１８２が噛合しており、その大ギア１８２には、ブラケット１８０に固定されたブラケット１８３に回転可能に支持された小ギア１８４が噛合している。そして、その小ギア１８４には、後述する収容部材１９０に回転可能に支持された回転軸１８６の一端部が固定されており、その回転軸１８６の他端部側には、加圧ロール５８が離隔位置にて摩擦を有して接触する回転部材の一例としてのゴムロール１８８が固定されている。
【００８３】
したがって、駆動ギア１５６に噛合された伝達ギア１７４から、中間ギア１７５、中間ギア１７６、ロールギア１７８、大ギア１８２、小ギア１８４、回転軸１８６を介して、ゴムロール１８８が回転する構成であり、中間ギア１７５、中間ギア１７６、ロールギア１７８、大ギア１８２、小ギア１８４、回転軸１８６が伝達機構の一例を構成している。
【００８４】
また、このゴムロール１８８は、収容部材１９０に回転可能に収容されている。すなわち、収容部材１９０の前後方向（回転軸１８６の軸方向）両端部には、付勢手段の一例としてのコイルスプリング１９４によって下方から弾性的に支持された一対のリング状部材１９２が上下方向に移動可能に配置されており、ゴムロール１８８の回転軸１８６は、そのリング状部材１９２に挿通されて回転可能に支持されている。
【００８５】
また、大ギア１８２の回転軸１８２Ａとブラケット１７２との間には、弾性部材の一例としてのコイルスプリング１９６が架設されている。そして、そのブラケット１７２は、図示しない付勢手段の一例としてのコイルスプリングにより、伝達ギア１７４を駆動ギア１５６から離隔させる方向（図９で示す矢印Ｆ方向）へ支点１７２Ａを中心に回転するように常時付勢されている。
【００８６】
したがって、接離手段１６０により、加圧ロール５８が離隔位置へ下降し、その表面部５８Ｃがゴムロール１８８に接触すると、図１０で示すように、コイルスプリング１９４の付勢力に抗しつつ、ゴムロール１８８が加圧ロール５８の重さによって下降し、回転軸１８６、小ギア１８４、大ギア１８２を下降させるようになっている。
【００８７】
そして、大ギア１８２の回転軸１８２Ａとブラケット１７２との間には、コイルスプリング１９６が架設されているので、ブラケット１７２は、そのコイルスプリング１９６によって引っ張られ、支点１７２Ａを中心に、図９で示す矢印Ｆ方向とは逆方向に回転し、伝達ギア１７４を駆動ギア１５６に噛合させるようになっている。これにより、駆動ギア１５６からの回転駆動力がゴムロール１８８へ伝達され、ゴムロール１８８によって加圧ロール５８が回転される構成である。
【００８８】
一方、接離手段１６０により、加圧ロール５８が圧接位置へ上昇し、その表面部５８Ｃがゴムロール１８８から離隔すると、図９で示すように、回転軸１８６、小ギア１８４、大ギア１８２は、コイルスプリング１９４の付勢力によって上昇し、ブラケット１７２は、図示しないコイルスプリングの付勢力により、図９で示す矢印Ｆ方向へ支点１７２Ａを中心に回転するようになっている。これにより、駆動ギア１５６に対する伝達ギア１７４の噛合が解除され、ゴムロール１８８に対して回転駆動力が伝達されなくなる（遮断される）構成である。
【００８９】
以上のような構成とされた定着部５０（定着装置）において、次にその加圧ロール５８の印刷待機時の作用について説明する。画像形成を行わない印刷待機時において、定着ベルトモジュール５１の定着ベルト５６は、印刷時の移動速度よりも遅い速度で循環移動されている。一方、加圧ロール５８は、定着ベルトモジュール５１（定着ベルト５６）とは異なる（低い）温度で待機させるため、接離手段１６０により、定着ベルトモジュール５１（定着ベルト５６）から離隔される。
【００９０】
すなわち、駆動モーター１６８により回転軸１６２を回転させ、各カム板１６４を矢印Ｄ方向とは逆方向に回転させる。すると、各支持プレート１４０に回転軸１５８が支持されつつ加圧ロール５８が下降し、その表面部５８Ｃがゴムロール１８８に接触する。加圧ロール５８の表面部５８Ｃがゴムロール１８８に接触すると、そのゴムロール１８８は、コイルスプリング１９４の付勢力に抗しつつ、加圧ロール５８の重さにより下降する。
【００９１】
ゴムロール１８８がコイルスプリング１９４の付勢力に抗して下降すると、回転軸１８６を介して小ギア１８４及び大ギア１８２も下降する。すると、ブラケット１７２は、大ギア１８２の回転軸１８２Ａとの間に架設されているコイルスプリング１９６によって引っ張られ、図示しないコイルスプリングの付勢力に抗して、図９で示す矢印Ｆ方向とは逆方向に支点１７２Ａを中心に回転する。
【００９２】
ブラケット１７２が図９で示す矢印Ｆ方向とは逆方向に回転すると、ブラケット１７２に回転可能に支持されている伝達ギア１７４が、駆動モーター１５０により回転駆動されている加熱ロール５２に設けられた駆動ギア１５６に噛合する。これにより、駆動ギア１５６からの回転駆動力が、伝達ギア１７４、中間ギア１７５、中間ギア１７６、ロールギア１７８、大ギア１８２、小ギア１８４を介して回転軸１８６に伝達され、その回転軸１８６に固着されているゴムロール１８８が、その回転駆動力によって回転する。
【００９３】
ここで、ゴムロール１８８と加圧ロール５８の表面部５８Ｃとは摩擦を有して接触しているので、ゴムロール１８８が回転すると、それと接触している加圧ロール５８が従動回転する。したがって、画像形成を行わない印刷待機中において、加圧ロール５８が回転（空転）されることになり、加圧ロール５８の定着ベルトモジュール５１（定着ベルト５６）と対向する部位の表面温度が局所的に上昇されるのが抑制される。よって、記録用紙Ｐに定着されたトナー画像に濃度欠陥、画像欠陥が発生するのが抑制又は防止される。
【００９４】
また、このとき、大ギア１８２の回転軸１８２Ａとブラケット１７２との間に架設されたコイルスプリング１９６によって、そのブラケット１７２を引っ張ることで、伝達ギア１７４を駆動ギア１５６に噛合させているので、伝達ギア１７４が駆動ギア１５６に対して必要以上の圧力で噛合されるのが、そのコイルスプリング１９６の弾性によって抑制又は防止される。よって、伝達ギア１７４及び駆動ギア１５６の摩耗が抑制される。
【００９５】
一方、画像形成を行う印刷時には、加圧ロール５８は、接離手段１６０により、定着ベルトモジュール５１（定着ベルト５６）に圧接される。すなわち、駆動モーター１６８が各カム板１６４を矢印Ｄ方向へ回転させ、各支持ロール１４９を介して各支持プレート１４０を上昇させる。すると、加圧ロール５８の表面部５８Ｃはゴムロール１８８から離隔し、伝達ギア１７４が駆動ギア１５６から離隔される。
【００９６】
つまり、加圧ロール５８がゴムロール１８８から離隔すると、そのゴムロール１８８は上方から押圧されなくなるため、ゴムロール１８８、回転軸１８６、小ギア１８４、大ギア１８２は、コイルスプリング１９４の付勢力によって上昇し、コイルスプリング１９６を介してブラケット１７２を引っ張らないので、図示しないコイルスプリングの付勢力により、そのブラケット１７２が、図９で示す矢印Ｆ方向へ支点１７２Ａを中心に回転する。
【００９７】
これにより、駆動ギア１５６に対する伝達ギア１７４の噛合が解除され、ゴムロール１８８の回転が停止される。このように、画像形成を行う印刷時（加圧ロール５８が圧接位置にあるとき）には、ゴムロール１８８を無駄に回転させない構成になっているので、駆動手段１７０を構成する各部品の寿命が短くならなくて済む。
【００９８】
以上、本実施形態に係る定着部５０（定着装置）及び画像形成装置１０について説明したが、本実施形態に係る定着部５０（定着装置）及び画像形成装置１０は、図示の実施例に限定されるものではない。例えば、上記実施例では、回転部材の一例としてゴムロール１８８を採用したが、回転部材は、加圧ロール５８の表面部５８Ｃと摩擦を有して接触可能に構成されていればよく、ゴムロール１８８に限定されるものではない。
【符号の説明】
【００９９】
１０  画像形成装置
１６  制御部
２０  給紙部
３０  画像形成部
５０  定着部（定着装置の一例）
５１  定着ベルトモジュール（加熱部材の一例）
５２  加熱ロール
５６  定着ベルト
５８  加圧ロール（加圧部材の一例）
６０  冷却部
８０  反転部
１００  転写部
１２０  搬送部
１５０  駆動モーター
１５６  駆動ギア
１６０  接離手段
１６４  カム板
１６８  駆動モーター
１７０  駆動手段
１７２  ブラケット
１７４  伝達ギア
１７５  中間ギア（伝達機構の一例）
１７６  中間ギア（伝達機構の一例）
１７８  ロールギア（伝達機構の一例）
１８２  大ギア（伝達機構の一例）
１８４  小ギア（伝達機構の一例）
１８６  回転軸（伝達機構の一例）
１８８  ゴムロール（回転部材の一例）
Ｐ  記録用紙（記録媒体の一例）
【図１】
0005446813.tif 000002
【図２】
0005446813.tif 000003
【図３】
0005446813.tif 000004
【図４】
0005446813.tif 000005
【図５】
0005446813.tif 000006
【図６】
0005446813.tif 000007
【図７】
0005446813.tif 000008
【図８】
0005446813.tif 000009
【図９】
0005446813.tif 000010
【図１０】
0005446813.tif 000011